(57)【要約】【課題】離間配置された建造物内に夫々収容された電気設備間を接続するケーブルをケーブルピット内に布設した発電所、変電所、工場等の施設において、ケーブルピット内のケーブルの延焼を防止すると共に、ケーブルピット内に侵入した鼠を効率的に捕獲、駆除することができるピット内ケーブルの保護構造を提供する。【解決手段】建造物１内に設置された屋内電気設備と屋外設置機器２との間、或いは該屋外設置機器間を接続するケーブル１５を布設するケーブルピット１０において、ケーブルピットは、ケーブルを布設する側溝１１と、側溝の開口を閉止する蓋１２と、ケーブルを密着状態で貫通させる貫通穴２１を有した延焼防止板２０と、を備え、延焼防止板によってケーブルピット内を複数のブロックに区画する。更には、延焼防止板２０の周縁部に小動物の通過を許容する通過穴２６を設け、通過穴と侵入口３１が連通するように捕獲箱３０を配置した。【選択図】図２
2007159246.tif 000002
【特許請求の範囲】
【請求項１】
建造物内に設置された屋内電気設備と屋外設置機器との間、或いは該屋外設置機器間を接続するケーブルを布設するケーブルピットにおいて、
前記ケーブルピットは、前記ケーブルを布設する側溝と、該側溝の開口を閉止する蓋と、前記ケーブルを密着状態で貫通させる貫通穴を有した延焼防止板とを備え、
前記延焼防止板によってケーブルピット内を複数のブロックに区画することを特徴とするピット内ケーブルの保護構造。
【請求項２】
前記延焼防止板の周縁部に小動物の通過を許容する通過穴を備えると共に、該通過穴と侵入口が連通するように捕獲箱を配置したことを特徴とする請求項１に記載のピット内ケーブルの保護構造。
【請求項３】
前記捕獲箱の内部には、前記侵入口から侵入した小動物を拘束する粘着シートを備えていることを特徴とする請求項２に記載のピット内ケーブルの保護構造。
【請求項４】
前記屋内電気設備は制御装置を含み、前記屋外設置機器は該制御装置により制御される電力用機器であることを特徴とする請求項１、２、又は３に記載のピット内ケーブルの保護構造。
【発明の詳細な説明】
【技術分野】
【０００１】
本発明は変電所、発電所等の比較的広い施設内に分散して離間配置された各電気設備間を接続するケーブルの保護構造に関し、特にケーブルを布設するケーブルピット内に進入してケーブルを損傷させる鼠を効果的に捕獲することができるピット内ケーブルの保護構造に関する。
【背景技術】
【０００２】
発電所、変電所のように各種電気設備を備えた施設においては、例えば制御装置等を収容したメインの建造物（本館）とは別個に、制御装置により制御される電力用機器等の各種機器を収容した屋外建造物が分散して離間配置される。これらの建造物間を接続するケーブルは通常地盤内に形成したコンクリート製の側溝内に布設され、この側溝を蓋によって閉止することにより外気から遮断して内部のケーブルを保護している。この側溝及び蓋から成るケーブル布設手段は、ケーブルピットと称される。
従来、ケーブルピット内のケーブルを各種建造物内に導入するための入口には、火災発生時にケーブルの延焼を防止するための延焼防止板（防火板）が配置されている。
しかし、建造物内で火災が発生した際に、上記延焼防止板が延焼を防止し切れずに外部へ延びるケーブルピット内のケーブルに延焼することも有り得る。一旦、ケーブルが発火すると、ケーブルピット内全体のケーブル全長に延焼し、最終的には他の電気設備を焼損する虞が高まるが、これまではケーブルピット内ケーブルの延焼を防止するための対策は十分になされていなかった。
また、各種電気設備を収容した建造物には鼠等の害獣の侵入を阻止するための対策が施されているが（例えば、特許文献１）、ケーブルピットは側溝の上部開口を蓋によって閉止しただけの構造であるため、蓋と蓋、或いは蓋と開口との間に形成される僅かな隙間や、側溝内の亀裂等々の隙間から鼠が側溝内に侵入し易い。側溝内に進入した鼠はケーブルを囓って絶縁不良や導線の断線をもたらし、最悪の場合には電力機器が制御不能な状態に陥る。
従来はケーブルピット内の適所（例えばケーブル上）に粘着シートを配備し、その上を偶々通過する鼠を捕獲する対策を採ったり、或いは殺鼠剤を適所に散布していたが、十分な効果を得ることはできていない。また、粘着シートの粘着面には、外部から入り込んだ砂、埃、枯葉等が付着、堆積して粘着力を低下させて捕獲能力を短期間に低下させる。
このような不具合は、発電所、変電所のみならず、各種電気設備を収容した複数の建造物間をケーブルピット内のケーブルによって接続する工場等の施設においても発生する。
また、特許文献２、３には鼠等の害獣の駆除方法が開示されているが、ケーブルピット内という特有の環境下における鼠駆除に適した方法ではない。
【特許文献１】特開平８−５６５５１号公報
【特許文献２】特開平６−１９７６７４号公報
【特許文献３】特開２０００−６０４１２公報
【発明の開示】
【発明が解決しようとする課題】
【０００３】
本発明は上記に鑑みてなされたものであり、離間配置された建造物内に夫々収容された電気設備間を接続するケーブルをケーブルピット内に布設した発電所、変電所、工場等の施設において、ケーブルピット内のケーブルの延焼を防止すると共に、ケーブルピット内に侵入した鼠を効率的に捕獲、駆除することができるピット内ケーブルの保護構造を提供することを目的としている。
【課題を解決するための手段】
【０００４】
上記課題を解決するため、請求項１の発明は、建造物内に設置された屋内電気設備と屋外設置機器との間、或いは該屋外設置機器間を接続するケーブルを布設するケーブルピットにおいて、前記ケーブルピットは、前記ケーブルを布設する側溝と、該側溝の開口を閉止する蓋と、前記ケーブルを密着状態で貫通させる貫通穴を有した延焼防止板と、を備え、前記延焼防止板によってケーブルピット内を複数のブロックに区画することを特徴とする。
請求項２の発明は、請求項１において、前記延焼防止板の周縁部に小動物の通過を許容する通過穴を備えると共に、該通過穴と侵入口が連通するように捕獲箱を配置したことを特徴とする。
請求項３の発明は、請求項２において、前記捕獲箱の内部には、前記侵入口から侵入した小動物を拘束する粘着シートを備えていることを特徴とする。
請求項４の発明は、請求項１乃至３において、前記屋内電気設備は制御装置を含み、前記屋外設置機器は該制御装置により制御される電力用機器であることを特徴とする。
【発明の効果】
【０００５】
本発明によれば、離間配置された建造物内に夫々収容された電気設備間を接続するケーブルをケーブルピット内に布設した発電所、変電所、工場等の施設において、ケーブルピット内を複数のブロックに区画するために延焼防止板を配置してケーブルピット内のケーブルの延焼を防止すると共に、延焼防止板の一部に鼠などの小動物を通過させる通過穴を設け、更に通過穴に連設して捕獲箱を配置したので、ケーブルピット内に侵入した鼠を効率的に捕獲、駆除することができる。
【発明を実施するための最良の形態】
【０００６】
以下、本発明を図面に示した実施の形態により詳細に説明する。
図１（ａ）は発・変電所における各電気設備の配置状態を示す平面図である。敷地内の中央に位置するメインの建造物（本館）１には、例えば制御装置等の電気設備が収容されている。メイン建造物１の屋外には、例えば電源盤３、低圧主電源４、端子箱５等の屋外設置機器２が分散配置されており、メイン建造物１と各屋外設置機器２との間、及び屋外設置機器間は、ケーブルピット１０内に配設されたケーブルによって連結されている。
図１（ｂ）はメイン建造物１から延びるケーブルピット１０の外観図、（ｃ）はメイン建造物から延びるケーブルピットの内部構成図である。
ケーブルピット１０は、ケーブル１５を布設する側溝１１と、側溝１１の上部開口を閉止する蓋１２と、を備えている。
図１（ｃ）に示す延焼防止板２０は、建造物１の内部と側溝１１との間を区画する手段であり、耐火性を有した材料、例えば石膏ボード等を用いて構築されている。延焼防止板２０は、ケーブル１５の外周面と密着した状態で貫通させる貫通穴２１を除いた部分は密閉されている。
【０００７】
次に、図２（ａ）（ｂ）は延焼防止板とその周辺の構成を示す斜視断面図、図２（ｃ）は延焼防止板周辺の側部断面である。
図２に示す延焼防止板（耐火仕切り板）２５は、ケーブルピット１０内の適所に配置されることによってケーブルピット内を複数のブロックに分割する。このようにケーブルピット１０内が延焼防止板２５によって複数のブロックに区画されているため、ケーブルの焼損は火災の発生したブロック内に留まり、ケーブルの焼損範囲が延焼防止板２５を越えて他のブロック内に波及することが阻止できる。
延焼防止板２５は、上記延焼防止板２０と同様に石膏ボード等の耐火性を有した材料により構成される。貫通穴２５ａにはケーブル１５が密着して貫通配置される。
次に、本発明においては、ケーブルピット１０内を複数のブロックに区画するために配置される延焼防止板２５の適所、例えば鼠が好んで通る壁際に沿った箇所に鼠の通過を許容するための通過穴２６を設けると共に、通過穴２６の何れか一方に捕獲箱３０を配置する。
通過穴２６は、例えば縦横７ｃｍ程度の鼠の通過に適したサイズとする。この例では、延長防止板２５の下側の角隅部に通過穴２６を設けた例を示しているが、形成位置、形状、サイズ、個数は任意に設定できる。
捕獲箱３０は、単一の侵入口３１を備えた箱体であり、この侵入口３１が通過穴２６と連通するように密着して配置する。従って、通過穴２６を通過した鼠は捕獲箱３０の侵入口３１に必ず入り込むこととなり、捕獲箱３０内に設けたトラップ構造によって捕捉されて逃げることができなくなる。
捕獲箱３０内のトラップ構造はどのような構造であってもよいが、粘着シートを箱内に配置した捕獲構造が好ましい。この粘着シートは捕獲箱によって包囲されているため、外部から側溝内に侵入する砂や埃等が付着しにくく長期に渡って粘着力を維持できる。
【０００８】
なお、実験によれば、通過穴２６を鼠の習性に従って延焼防止板２５の下側角隅部に設けることにより、最大の捕獲効果を得ることができた。
また、単に鼠が通過穴２６に入り込むのを待つのではなく、より積極的に蓋１２の上から打撃音等の大きな音を側溝内に向けて発生させたり、一部の蓋を開けて側溝内に光を照射したり、煙を側溝内に導入することによって鼠を驚かせて強制的に通過穴２６を通過するように仕向けることにより、捕獲効率を高めることができる。
なお、本発明のケーブルピットに延焼防止板を配置する延焼防止構造、及び延焼防止板に設けた鼠等の小動物の捕獲構造は、発電所、変電所のみならず、ケーブルピットを配設する工場等の各種施設にも適用することができる。
【図面の簡単な説明】
【０００９】
【図１】（ａ）は発・変電所における各電気設備の配置状態を示す平面図、（ｂ）はメイン建造物から延びるケーブルピットの外観図、（ｃ）はメイン建造物から延びるケーブルピットの内部構成図である。
【図２】（ａ）（ｂ）は延焼防止板とその周辺の構成を示す斜視断面図、（ｃ）は延焼防止板周辺の側部断面図である。
【符号の説明】
【００１０】
１…メイン建造物、２…屋外設置機器、１０…ケーブルピット、１１…側溝、１２…蓋、１５…ケーブル、２０…延焼防止板、２１…貫通穴、２５…延焼防止板、２６…通過穴、３０…捕獲箱、３１…侵入口。
【図１】
2007159246.tif 000003
【図２】
2007159246.tif 000004